(57)【要約】  【課題】  端末装置の構成の簡略化と利用者の煩雑さを解消することが可能なコンテンツ案内サービスシステム、コンテンツ案内装置、コンテンツ案内方法及びコンテンツ案内プログラムを提供する。  【解決手段】  放送受信機６００は、受信した放送番組の視聴履歴データをサービスセンタ５００内の情報案内サーバ５５０へ送信し、情報案内サーバ５５０は、その視聴履歴データに対応する放送番組のキーワードに基づいて、放送受信機６００の利用者の嗜好を分析し、その分析結果に基づいて放送受信機６００の利用者の嗜好に応じた放送番組等を決定し、これら決定した放送番組等に対応する情報案内データを放送受信機６００へ送信する。そして、放送受信機６００は、受信した情報案内データに基づいて、嗜好に応じた放送番組等に関する所定の案内情報を出力する。【選択図】  図１
2005260647.tif 000002
【特許請求の範囲】
【請求項１】
一または複数のコンテンツ供給源からコンテンツを選択的に受信する端末装置と、前記端末装置が所定の通信ネットワークを介して接続されるコンテンツ案内装置とを有するコンテンツ案内サービスシステムであって、
前記端末装置は、
前記一または複数のコンテンツ供給源から選択的に受信したコンテンツの識別情報を含む受信履歴情報を所定のタイミングで前記コンテンツ案内装置に前記通信ネットワークを介して送信する受信履歴送信手段を有し、
前記コンテンツ案内装置は、
前記一または複数のコンテンツ供給源から配信され得る各コンテンツの識別情報と各コンテンツの特徴を表す情報として予め定められた特徴項目とを対応付けて記憶するコンテンツ特徴記憶手段と、
前記端末装置から前記受信履歴情報を受信する受信履歴受信手段と、
前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定手段と、
前記嗜好特徴決定手段にて決定された嗜好特徴項目に対応する特徴項目を有するコンテンツの識別情報を前記コンテンツ特徴記憶手段から抽出するコンテンツ抽出手段と、
前記コンテンツ抽出手段にて抽出されたコンテンツの識別情報を前記端末装置に前記通信ネットワークを介して送信する識別情報送信手段とを有し、
前記端末装置は、更に、
前記コンテンツ案内装置から送信される識別情報を受信する識別情報受信手段と、
前記識別情報をコンテンツ案内情報として出力するコンテンツ案内出力手段とを有することを特徴とするコンテンツ案内サービスシステム。
【請求項２】
前記嗜好特徴決定手段は、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出手段と、
所定の基準を満たす数値の基本特徴項目を前記嗜好特徴項目として決定する嗜好特徴項目決定手段とを有することを特徴とする請求項１記載のコンテンツ案内サービスシステム。
【請求項３】
前記嗜好特徴決定手段は、所定のタイミングで前記嗜好特徴項目を決定するものであって、
前記嗜好値算出手段は、前回の嗜好特徴項目を決定した後に受信した前記受信履歴情報に含まれた識別情報にて特定されるコンテンツの特徴項目に対応した基本特徴項目に対して最も高い嗜好の程度を表す数値を与えることを特徴とする請求項２記載のコンテンツ案内サービスシステム。
【請求項４】
前記嗜好特徴決定手段は、所定のタイミングで前記嗜好特徴項目を決定するものであって、
前記嗜好値算出手段は、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新することを特徴とする請求項２または３記載のコンテンツ案内サービスシステム。
【請求項５】
前記嗜好特徴決定手段は、前記受信履歴情報に含まれた識別情報にて特定されるコンテンツの特徴項目の取得回数を計数する計数手段を有し、
前記嗜好値算出手段は、前記計数手段にて得られた前記特徴項目の取得回数が多くなるほど前記特徴項目に対応した基本特徴項目に対する数値をより嗜好の程度を高くする数値に設定することを特徴とする請求項２乃至４のいずれかに記載のコンテンツ案内サービスシステム。
【請求項６】
前記コンテンツ案内装置は、前記端末装置の利用者が嗜好するとされるコンテンツの特徴を表す利用者特徴項目を前記端末装置に対応付けて記憶した利用者特徴項目記憶手段を有し、
前記嗜好特徴決定手段は、更に前記利用者特徴項目に基づいて前記嗜好特徴項目を決定するようにしたことを特徴とする請求項１乃至５のいずれかに記載のコンテンツ案内サービスシステム。
【請求項７】
前記嗜好特徴決定手段は、前記端末装置の利用者が嗜好するとされるコンテンツの特徴を表す利用者特徴項目を前記端末装置に対応付けて記憶した利用者特徴項目記憶手段を有し、
前記嗜好値算出手段は、前記利用者特徴項目記憶手段に記憶された利用者特徴項目に対応する基本特徴項目に対する数値を嗜好の程度を所定分だけ高くさせた数値に更新することを特徴とする請求項２乃至５のいずれかに記載のコンテンツ案内サービスシステム。
【請求項８】
前記コンテンツ抽出手段は、前記嗜好特徴項目と同一の特徴項目を有するコンテンツの識別情報を前記コンテンツ特徴記憶手段から抽出することを特徴とする請求項１乃至７のいずれかに記載のコンテンツ案内サービスシステム。
【請求項９】
前記コンテンツ抽出手段は、前記嗜好特徴項目と予め定めた関連性を有する特徴項目を有するコンテンツの識別情報を前記コンテンツ特徴記憶手段から抽出することを特徴とする請求項８記載のコンテンツ案内サービスシステム。
【請求項１０】
一または複数のコンテンツ供給源からコンテンツを選択的に受信する端末装置が所定の通信ネットワークを介して接続されるコンテンツ案内装置であって、
前記一または複数のコンテンツ供給源から配信され得る各コンテンツの識別情報と各コンテンツの特徴を表す情報として予め定められた特徴項目とを対応付けて記憶するコンテンツ特徴記憶手段と、
前記端末装置から所定のタイミングで送信される前記一または複数のコンテンツ供給源から選択的に受信したコンテンツの識別情報を含む受信履歴情報を受信する受信履歴受信手段と、
前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定手段と、
前記嗜好特徴決定手段にて決定された嗜好特徴項目に対応する特徴項目を有するコンテンツの識別情報を前記コンテンツ特徴記憶手段から抽出するコンテンツ抽出手段と、
前記コンテンツ抽出手段にて抽出されたコンテンツの識別情報を前記端末装置に前記通信ネットワークを介して送信する識別情報送信手段とを有することを特徴とするコンテンツ案内装置。
【請求項１１】
前記嗜好特徴決定手段は、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出手段と、
所定の基準を満たす数値の基本特徴項目を前記嗜好特徴項目として決定する嗜好特徴項目決定手段とを有することを特徴とする請求項１０記載のコンテンツ案内装置。
【請求項１２】
前記嗜好特徴決定手段は、所定のタイミングで前記嗜好特徴項目を決定するものであって、
前記嗜好値算出手段は、前回の嗜好特徴項目を決定した後に受信した前記受信履歴情報に含まれた識別情報にて特定されるコンテンツの特徴項目に対応した基本特徴項目に対して最も高い嗜好の程度を表す数値を与えることを特徴とする請求項１１記載のコンテンツ案内装置。
【請求項１３】
前記嗜好特徴決定手段は、所定のタイミングで前記嗜好特徴項目を決定するものであって、
前記嗜好値算出手段は、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新することを特徴とする請求項１１または１２記載のコンテンツ案内装置。
【請求項１４】
前記嗜好特徴決定手段は、前記受信履歴情報に含まれた識別情報にて特定されるコンテンツの特徴項目の取得回数を計数する計数手段を有し、
前記嗜好値算出手段は、前記計数手段にて得られた前記特徴項目の取得回数が多くなるほど前記特徴項目に対応した基本特徴項目に対する数値をより嗜好の程度を高くする数値に設定することを特徴とする請求項１１乃至１３のいずれかに記載のコンテンツ案内装置。
【請求項１５】
前記端末装置の利用者が嗜好するとされるコンテンツの特徴を表す利用者特徴項目を前記端末装置に対応付けて記憶した利用者特徴項目記憶手段を有し、
前記嗜好特徴決定手段は、更に前記利用者特徴項目に基づいて前記嗜好特徴項目を決定するようにしたことを特徴とする請求項１０乃至１４のいずれかに記載のコンテンツ案内装置。
【請求項１６】
前記嗜好特徴決定手段は、前記端末装置の利用者が嗜好するとされるコンテンツの特徴を表す利用者特徴項目を前記端末装置に対応付けて記憶した利用者特徴項目記憶手段を有し、
前記嗜好値算出手段は、前記利用者特徴項目記憶手段に記憶された利用者特徴項目に対応する基本特徴項目に対する数値を嗜好の程度を所定分だけ高くさせた数値に更新することを特徴とする請求項１１乃至１４のいずれかに記載のコンテンツ案内装置。
【請求項１７】
前記コンテンツ抽出手段は、前記嗜好特徴項目と同一の特徴項目を有するコンテンツの識別情報を前記コンテンツ特徴記憶手段から抽出することを特徴とする請求項１０乃至１６のいずれかに記載のコンテンツ案内装置。
【請求項１８】
前記コンテンツ抽出手段は、前記嗜好特徴項目と予め定めた関連性を有する特徴項目を有するコンテンツの識別情報を前記コンテンツ特徴記憶手段から抽出することを特徴とする請求項１７記載のコンテンツ案内装置。
【請求項１９】
一または複数のコンテンツ供給源からコンテンツを選択的に受信する端末装置と、前記端末装置が所定の通信ネットワークを介して接続されるコンテンツ案内装置とを有するコンテンツ案内サービスシステムにおけるコンテンツ案内方法であって、
前記端末装置が、前記一または複数のコンテンツ供給源から選択的に受信したコンテンツの識別情報を含む受信履歴情報を所定のタイミングで前記コンテンツ案内装置に前記通信ネットワークを介して送信する受信履歴送信ステップと、
前記コンテンツ案内装置が、前記端末装置から前記受信履歴情報を受信する受信履歴受信ステップと、
前記コンテンツ案内装置が、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、
前記コンテンツ案内装置が、前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、
前記コンテンツ案内装置が、前記コンテンツ抽出ステップにて抽出されたコンテンツの識別情報を前記端末装置に前記通信ネットワークを介して送信する識別情報送信ステップと、
前記端末装置が、前記コンテンツ案内装置から送信される識別情報を受信する識別情報受信ステップと、
前記端末装置が、前記識別情報をコンテンツ案内情報として出力するコンテンツ案内出力ステップとを有することを特徴とするコンテンツ案内方法。
【請求項２０】
一または複数のコンテンツ供給源からコンテンツを選択的に受信する端末装置が所定の通信ネットワークを介して接続されるコンテンツ案内装置におけるコンテンツ案内方法であって、
前記端末装置から所定のタイミングで送信される前記一または複数のコンテンツ供給源から選択的に受信したコンテンツの識別情報を含む受信履歴情報を受信する受信履歴受信ステップと、
前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、
前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、
前記コンテンツ抽出ステップにて抽出されたコンテンツの識別情報を前記端末装置に前記通信ネットワークを介して送信する識別情報送信ステップとを有することを特徴とするコンテンツ案内方法。
【請求項２１】
前記嗜好特徴決定ステップは、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出ステップと、
所定の基準を満たす数値の基本特徴項目を前記嗜好特徴項目として決定する嗜好特徴項目決定ステップを有することを特徴とする請求項２０記載のコンテンツ案内方法。
【請求項２２】
前記嗜好特徴決定ステップは、所定のタイミングで前記嗜好特徴項目を決定するものであって、
前記嗜好値算出ステップは、前回の嗜好特徴項目を決定した後に受信した前記受信履歴情報に含まれた識別情報にて特定されるコンテンツの特徴項目に対応した基本特徴項目に対して最も高い嗜好の程度を表す数値を与えることを特徴とする請求項２１記載のコンテンツ案内方法。
【請求項２３】
前記嗜好特徴決定ステップは、所定のタイミングで前記嗜好特徴項目を決定するものであって、
前記嗜好値算出ステップは、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新することを特徴とする請求項２１または２２記載のコンテンツ案内方法。
【請求項２４】
前記嗜好特徴決定ステップは、前記受信履歴情報に含まれた識別情報にて特定されるコンテンツの特徴項目の取得回数を計数する計数ステップを有し、
前記嗜好値算出ステップは、前記計数ステップにて得られた前記特徴項目の取得回数が多くなるほど前記特徴項目に対応した基本特徴項目に対する数値をより嗜好の程度を高くする数値に設定することを特徴とする請求項２１乃至２３のいずれかに記載のコンテンツ案内方法。
【請求項２５】
前記嗜好特徴決定ステップは、更に予め前記端末装置に対応付けて記憶手段に記憶された前記端末装置の利用者が嗜好するとされるコンテンツの特徴を表す利用者特徴項目に基づいて前記嗜好特徴項目を決定するようにしたことを特徴とする請求項２０乃至２４のいずれかに記載のコンテンツ案内方法。
【請求項２６】
前記嗜好値算出ステップは、予め前記端末装置に対応付けて記憶手段に記憶された前記端末装置の利用者が嗜好するとされるコンテンツの特徴を表す利用者特徴項目に対応する基本特徴項目に対する数値を嗜好の程度を所定分だけ高くさせた数値に更新することを特徴とする請求項２１乃至２４のいずれかに記載のコンテンツ案内方法。
【請求項２７】
前記コンテンツ抽出ステップは、前記嗜好特徴項目と同一の特徴項目を有するコンテンツの識別情報を前記記憶手段から抽出することを特徴とする請求項２０乃至２６のいずれかに記載のコンテンツ案内方法。
【請求項２８】
前記コンテンツ抽出ステップは、前記嗜好特徴項目と予め定めた関連性を有する特徴項目を有するコンテンツの識別情報を前記記憶手段から抽出することを特徴とする請求項２７記載のコンテンツ案内方法。
【請求項２９】
一または複数のコンテンツ供給源からコンテンツを選択的に受信する端末装置が所定の通信ネットワークを介して接続されるコンテンツ案内装置において実行されるコンテンツ案内プログラムであって、
前記端末装置から所定のタイミングで送信される前記一または複数のコンテンツ供給源から選択的に受信したコンテンツの識別情報を含む受信履歴情報を受信する受信履歴受信ステップと、
前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、
前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、
前記コンテンツ抽出ステップにて抽出されたコンテンツの識別情報を前記端末装置に前記通信ネットワークを介して送信する識別情報送信ステップとを前記コンテンツ案内装置に実行させることを特徴とするコンテンツ案内プログラム。
【発明の詳細な説明】
【技術分野】
【０００１】
本発明は、放送受信機等の端末装置の利用者に対して放送番組や通信系コンテンツ等の各種コンテンツの案内を行うコンテンツ案内サービスシステム、コンテンツ案内装置、コンテンツ案内方法及びコンテンツ案内プログラムに関する。
【背景技術】
【０００２】
従来、デジタル放送の提供に当たって、各放送局は、放送番組のデータとともに、その番組の識別データや番組名、放送時間帯、出演者等の放送番組の属性データ（例えばメタデータ）等を送出している。このため、デジタル放送受信機は、個々の放送番組を識別することができるとともに、利用者に対して映像とともに放送番組に関連する情報を提供することができる。また、各放送局は、番組名、放送時間帯、出演者等の放送番組の属性データを含んだ番組表のデータを送出している。このため、デジタル放送受信機は、利用者に対して番組表を提供することができ、録画予約等に役立てることを可能としている。
【０００３】
しかし、デジタル放送における放送番組は非常に多種多様であるため、利用者が番組表から自分の見たい番組を探し出すことは容易ではない。このため、利用者の嗜好に応じて推奨番組を案内する放送受信機が提案されている（例えば特許文献１参照）。このような放送受信機の利用により、利用者が所望する番組を見逃してしまうことが抑制される。
【特許文献１】特開２００１−２４９９２５号公報
【発明の開示】
【発明が解決しようとする課題】
【０００４】
しかしながら、前述した利用者の嗜好に応じて推奨番組を案内する放送受信機は、その放送受信機が単独で利用者の嗜好を判別して推奨番組を案内するための処理を行っている。従って、その機能を実現するために放送受信機の装置構成が複雑になる。また、買い換え等によって端末装置が交換される場合において、利用者は、新たに嗜好に関するデータを登録したり、移行させる必要があり煩雑であった。このため、放送受信機（端末装置）の構成の簡略化と利用者の煩雑さを解消することが可能なシステムが要求されている。
【０００５】
本発明は従来の問題を解決するためになされたもので、端末装置の構成の簡略化と利用者の煩雑さを解消することが可能なコンテンツ案内サービスシステム、コンテンツ案内装置、コンテンツ案内方法及びコンテンツ案内プログラムを提供することを目的とする。
【課題を解決するための手段】
【０００６】
本発明のコンテンツ案内サービスシステムは、一または複数のコンテンツ供給源からコンテンツを選択的に受信する端末装置と、前記端末装置が所定の通信ネットワークを介して接続されるコンテンツ案内装置とを有するものであって、前記端末装置は、前記一または複数のコンテンツ供給源から選択的に受信したコンテンツの識別情報を含む受信履歴情報を所定のタイミングで前記コンテンツ案内装置に前記通信ネットワークを介して送信する受信履歴送信手段を有し、前記コンテンツ案内装置は、前記一または複数のコンテンツ供給源から配信され得る各コンテンツの識別情報と各コンテンツの特徴を表す情報として予め定められた特徴項目とを対応付けて記憶するコンテンツ特徴記憶手段と、前記端末装置から前記受信履歴情報を受信する受信履歴受信手段と、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定手段と、前記嗜好特徴決定手段にて決定された嗜好特徴項目に対応する特徴項目を有するコンテンツの識別情報を前記コンテンツ特徴記憶手段から抽出するコンテンツ抽出手段と、前記コンテンツ抽出手段にて抽出されたコンテンツの識別情報を前記端末装置に前記通信ネットワークを介して送信する識別情報送信手段とを有し、前記端末装置は、更に、前記コンテンツ案内装置から送信される識別情報を受信する識別情報受信手段と、前記識別情報をコンテンツ案内情報として出力するコンテンツ案内出力手段とを有する構成となる。
【０００７】
この構成により、端末装置が受信した放送番組や通信系コンテンツ等のコンテンツの識別情報を含む受信履歴情報をコンテンツ案内装置へ送信すると、コンテンツ案内装置は、受信した受信履歴情報に含まれた識別情報にて特定されるコンテンツの特徴項目に基づいて所定のアルゴリズムに従って端末装置の利用者が嗜好するコンテンツの特徴を表す嗜好特徴項目を決定し、決定された嗜好特徴項目に対応する特徴項目を有するコンテンツの識別情報を端末装置に送信する。そして、端末装置は、受信したコンテンツの識別情報をコンテンツ案内情報として出力する。従って、端末装置が利用者の嗜好を分析する必要がなく、構成が簡略化されるとともに、端末装置が交換される場合において、利用者による嗜好に関するデータの登録や移行の作業が必要でなくなり、煩雑さを解消することが可能となる。
【０００８】
本発明のコンテンツ案内サービスシステムは、前記嗜好特徴決定手段が、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出手段と、所定の基準を満たす数値の基本特徴項目を前記嗜好特徴項目として決定する嗜好特徴項目決定手段とを有する構成となる。
【０００９】
この構成により、コンテンツ案内装置は、端末装置におけるコンテンツの受信状況の変化に応じて、その端末装置の利用者の嗜好の程度を表す数値を適切に算出することが可能となる。
【００１０】
また、本発明のコンテンツ案内サービスシステムは、前記嗜好特徴決定手段が、所定のタイミングで前記嗜好特徴項目を決定するものであって、前記嗜好値算出手段が、前回の嗜好特徴項目を決定した後に受信した前記受信履歴情報に含まれた識別情報にて特定されるコンテンツの特徴項目に対応した基本特徴項目に対して最も高い嗜好の程度を表す数値を与える構成となる。
【００１１】
この構成により、コンテンツ案内装置は、端末装置によって直近に受信されたコンテンツが有する特徴項目ほど重視して、端末装置の利用者における嗜好の程度を表す数値の算出を適切に行うことが可能となる。
【００１２】
また、本発明のコンテンツ案内サービスシステムは、前記嗜好特徴決定手段が、所定のタイミングで前記嗜好特徴項目を決定するものであって、前記嗜好値算出手段が、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新する構成となる。
【００１３】
この構成により、コンテンツ案内装置は、前述と同様、端末装置によって直近に受信されたコンテンツが有する特徴項目ほど重視して、端末装置の利用者における嗜好の程度を表す数値の算出を適切に行うことが可能となる。
【００１４】
また、本発明のコンテンツ案内サービスシステムは、前記嗜好特徴決定手段が、前記受信履歴情報に含まれた識別情報にて特定されるコンテンツの特徴項目の取得回数を計数する計数手段を有し、前記嗜好値算出手段は、前記計数手段にて得られた前記特徴項目の取得回数が多くなるほど前記特徴項目に対応した基本特徴項目に対する数値をより嗜好の程度を高くする数値に設定する構成となる。
【００１５】
この構成により、コンテンツ案内装置は、端末装置によって受信されたコンテンツが数多く有する特徴項目ほど重視して、端末装置の利用者における嗜好の程度を表す数値の算出を適切に行うことができる。
【００１６】
また、本発明のコンテンツ案内サービスシステムは、前記コンテンツ案内装置が、前記端末装置の利用者が嗜好するとされるコンテンツの特徴を表す利用者特徴項目を前記端末装置に対応付けて記憶した利用者特徴項目記憶手段を有し、前記嗜好特徴決定手段は、更に前記利用者特徴項目に基づいて前記嗜好特徴項目を決定するようにした構成となる。
【００１７】
この構成により、コンテンツ案内装置は、端末装置の利用者が嗜好するとされるコンテンツの特徴を表す利用者特徴項目をも考慮して嗜好特徴項目を決定することができる。
【００１８】
また、本発明のコンテンツ案内サービスシステムは、前記嗜好特徴決定手段が、前記端末装置の利用者が嗜好するとされるコンテンツの特徴を表す利用者特徴項目を前記端末装置に対応付けて記憶した利用者特徴項目記憶手段を有し、前記嗜好値算出手段が、前記利用者特徴項目記憶手段に記憶された利用者特徴項目に対応する基本特徴項目に対する数値を嗜好の程度を所定分だけ高くさせた数値に更新する構成となる。
【００１９】
この構成により、コンテンツ案内装置は、端末装置の利用者が嗜好するとされるコンテンツの特徴を表す利用者特徴項目に対応する基本特徴項目を重視して、端末装置の利用者における嗜好の程度を表す数値の算出を適切に行うことができる。
【００２０】
また、本発明のコンテンツ案内サービスシステムは、前記コンテンツ抽出手段が、前記嗜好特徴項目と同一の特徴項目を有するコンテンツの識別情報を前記コンテンツ特徴記憶手段から抽出する構成となる。
【００２１】
また、本発明のコンテンツ案内サービスシステムは、前記コンテンツ抽出手段が、前記嗜好特徴項目と予め定めた関連性を有する特徴項目を有するコンテンツの識別情報を前記コンテンツ特徴記憶手段から抽出する構成となる。
【００２２】
この構成により、コンテンツ案内装置は、端末装置の利用者の嗜好に直接的に合致するコンテンツのみならず、間接的に合致するコンテンツをも案内することが可能となり、より適切なコンテンツの案内が可能となる。
【００２３】
また、本発明のコンテンツ案内装置は、一または複数のコンテンツ供給源からコンテンツを選択的に受信する端末装置が所定の通信ネットワークを介して接続されるものであって、前記一または複数のコンテンツ供給源から配信され得る各コンテンツの識別情報と各コンテンツの特徴を表す情報として予め定められた特徴項目とを対応付けて記憶するコンテンツ特徴記憶手段と、前記端末装置から所定のタイミングで送信される前記一または複数のコンテンツ供給源から選択的に受信したコンテンツの識別情報を含む受信履歴情報を受信する受信履歴受信手段と、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定手段と、前記嗜好特徴決定手段にて決定された嗜好特徴項目に対応する特徴項目を有するコンテンツの識別情報を前記コンテンツ特徴記憶手段から抽出するコンテンツ抽出手段と、前記コンテンツ抽出手段にて抽出されたコンテンツの識別情報を前記端末装置に前記通信ネットワークを介して送信する識別情報送信手段とを有する構成となる。
【００２４】
また、本発明のコンテンツ案内装置は、前記嗜好特徴決定手段が、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出手段と、所定の基準を満たす数値の基本特徴項目を前記嗜好特徴項目として決定する嗜好特徴項目決定手段とを有する構成となる。
【００２５】
また、本発明のコンテンツ案内装置は、前記嗜好特徴決定手段が、所定のタイミングで前記嗜好特徴項目を決定するものであって、前記嗜好値算出手段が、前回の嗜好特徴項目を決定した後に受信した前記受信履歴情報に含まれた識別情報にて特定されるコンテンツの特徴項目に対応した基本特徴項目に対して最も高い嗜好の程度を表す数値を与える構成となる。
【００２６】
また、本発明のコンテンツ案内装置は、前記嗜好特徴決定手段が、所定のタイミングで前記嗜好特徴項目を決定するものであって、前記嗜好値算出手段が、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新する構成となる。
【００２７】
また、本発明のコンテンツ案内装置は、前記嗜好特徴決定手段が、前記受信履歴情報に含まれた識別情報にて特定されるコンテンツの特徴項目の取得回数を計数する計数手段を有し、前記嗜好値算出手段が、前記計数手段にて得られた前記特徴項目の取得回数が多くなるほど前記特徴項目に対応した基本特徴項目に対する数値をより嗜好の程度を高くする数値に設定する構成となる。
【００２８】
また、本発明のコンテンツ案内装置は、前記端末装置の利用者が嗜好するとされるコンテンツの特徴を表す利用者特徴項目を前記端末装置に対応付けて記憶した利用者特徴項目記憶手段を有し、前記嗜好特徴決定手段が、更に前記利用者特徴項目に基づいて前記嗜好特徴項目を決定するようにした構成となる。
【００２９】
また、本発明のコンテンツ案内装置は、前記嗜好特徴決定手段が、前記端末装置の利用者が嗜好するとされるコンテンツの特徴を表す利用者特徴項目を前記端末装置に対応付けて記憶した利用者特徴項目記憶手段を有し、前記嗜好値算出手段が、前記利用者特徴項目記憶手段に記憶された利用者特徴項目に対応する基本特徴項目に対する数値を嗜好の程度を所定分だけ高くさせた数値に更新する構成となる。
【００３０】
また、本発明のコンテンツ案内装置は、前記コンテンツ抽出手段が、前記嗜好特徴項目と同一の特徴項目を有するコンテンツの識別情報を前記コンテンツ特徴記憶手段から抽出する構成となる。
【００３１】
また、本発明のコンテンツ案内装置は、前記コンテンツ抽出手段が、前記嗜好特徴項目と予め定めた関連性を有する特徴項目を有するコンテンツの識別情報を前記コンテンツ特徴記憶手段から抽出する構成となる。
【００３２】
また、本発明のコンテンツ案内方法は、一または複数のコンテンツ供給源からコンテンツを選択的に受信する端末装置と、前記端末装置が所定の通信ネットワークを介して接続されるコンテンツ案内装置とを有するコンテンツ案内サービスシステムにおけるものであって、前記端末装置が、前記一または複数のコンテンツ供給源から選択的に受信したコンテンツの識別情報を含む受信履歴情報を所定のタイミングで前記コンテンツ案内装置に前記通信ネットワークを介して送信する受信履歴送信ステップと、前記コンテンツ案内装置が、前記端末装置から前記受信履歴情報を受信する受信履歴受信ステップと、前記コンテンツ案内装置が、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、前記コンテンツ案内装置が、前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、前記コンテンツ案内装置が、前記コンテンツ抽出ステップにて抽出されたコンテンツの識別情報を前記端末装置に前記通信ネットワークを介して送信する識別情報送信ステップと、前記端末装置が、前記コンテンツ案内装置から送信される識別情報を受信する識別情報受信ステップと、前記端末装置が、前記識別情報をコンテンツ案内情報として出力するコンテンツ案内出力ステップとを有する構成となる。
【００３３】
また、本発明のコンテンツ案内方法は、一または複数のコンテンツ供給源からコンテンツを選択的に受信する端末装置が所定の通信ネットワークを介して接続されるコンテンツ案内装置におけるものであって、前記端末装置から所定のタイミングで送信される前記一または複数のコンテンツ供給源から選択的に受信したコンテンツの識別情報を含む受信履歴情報を受信する受信履歴受信ステップと、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、前記コンテンツ抽出ステップにて抽出されたコンテンツの識別情報を前記端末装置に前記通信ネットワークを介して送信する識別情報送信ステップとを有する構成となる。
【００３４】
また、本発明のコンテンツ案内方法は、前記嗜好特徴決定ステップが、前記受信履歴情報に含まれた識別情報にて特定されるコンテンツの特徴項目に基づいて、コンテンツの特徴を表す特徴項目として登録される基本特徴項目に対して嗜好の程度を表す数値を所定のアルゴリズムに従って算出する嗜好値算出ステップと、所定の基準を満たす数値の基本特徴項目を前記嗜好特徴項目として決定する嗜好特徴項目決定ステップを有する構成となる。
【００３５】
また、本発明のコンテンツ案内方法は、前記嗜好特徴決定ステップが、所定のタイミングで前記嗜好特徴項目を決定するものであって、前記嗜好値算出ステップが、前回の嗜好特徴項目を決定した後に受信した前記受信履歴情報に含まれた識別情報にて特定されるコンテンツの特徴項目に対応した基本特徴項目に対して最も高い嗜好の程度を表す数値を与える構成となる。
【００３６】
また、本発明のコンテンツ案内方法は、前記嗜好特徴決定ステップが、所定のタイミングで前記嗜好特徴項目を決定するものであって、前記嗜好値算出ステップが、前回の嗜好特徴項目を決定した後に受信した前記受信履歴情報に含まれた識別情報にて特定されるコンテンツの特徴項目に対応した基本特徴項目以外の基本特徴項目に対する数値を嗜好の程度を所定程度分だけ低下させた数値に更新する構成となる。
【００３７】
また、本発明のコンテンツ案内方法は、前記嗜好特徴決定ステップが、前記受信履歴情報に含まれた識別情報にて特定されるコンテンツの特徴項目の取得回数を計数する計数ステップを有し、前記嗜好値算出ステップが、前記計数ステップにて得られた前記特徴項目の取得回数が多くなるほど前記特徴項目に対応した基本特徴項目に対する数値をより嗜好の程度を高くする数値に設定する構成となる。
【００３８】
また、本発明のコンテンツ案内方法は、前記嗜好特徴決定ステップが、更に予め前記端末装置に対応付けて記憶手段に記憶された前記端末装置の利用者が嗜好するとされるコンテンツの特徴を表す利用者特徴項目に基づいて前記嗜好特徴項目を決定するようにした構成となる。
【００３９】
また、本発明のコンテンツ案内方法は、前記嗜好値算出ステップが、予め前記端末装置に対応付けて記憶手段に記憶された前記端末装置の利用者が嗜好するとされるコンテンツの特徴を表す利用者特徴項目に対応する基本特徴項目に対する数値を嗜好の程度を所定分だけ高くさせた数値に更新する構成となる。
【００４０】
また、本発明のコンテンツ案内方法は、前記コンテンツ抽出ステップが、前記嗜好特徴項目と同一の特徴項目を有するコンテンツの識別情報を前記記憶手段から抽出する構成となる。
【００４１】
また、本発明のコンテンツ案内方法は、前記コンテンツ抽出ステップが、前記嗜好特徴項目と予め定めた関連性を有する特徴項目を有するコンテンツの識別情報を前記記憶手段から抽出する構成となる。
【００４２】
また、本発明のコンテンツ案内プログラムは、一または複数のコンテンツ供給源からコンテンツを選択的に受信する端末装置が所定の通信ネットワークを介して接続されるコンテンツ案内装置において実行されるものであって、前記端末装置から所定のタイミングで送信される前記一または複数のコンテンツ供給源から選択的に受信したコンテンツの識別情報を含む受信履歴情報を受信する受信履歴受信ステップと、前記受信履歴情報に含まれた識別情報にて特定されるコンテンツの特徴項目に基づいて所定のアルゴリズムに従って前記端末装置の利用者が嗜好するコンテンツの特徴を表す嗜好特徴項目を決定する嗜好特徴決定ステップと、前記嗜好特徴決定ステップにて決定された嗜好特徴項目に対応する特徴項目を有するコンテンツの識別情報を、予め前記一または複数のコンテンツ供給源から配信され得る各コンテンツの識別情報と各コンテンツの特徴を表す情報として予め定められた特徴項目とを対応付けて記憶する記憶手段から抽出するコンテンツ抽出ステップと、前記コンテンツ抽出ステップにて抽出されたコンテンツの識別情報を前記端末装置に前記通信ネットワークを介して送信する識別情報送信ステップとを前記コンテンツ案内装置に実行させる構成となる。
【発明の効果】
【００４３】
本発明は、コンテンツ案内装置が、端末装置が受信した放送番組や通信系コンテンツ等のコンテンツの識別情報を含む受信履歴情報を受信すると、その受信履歴情報に含まれた識別情報にて特定されるコンテンツの特徴項目に基づいて所定のアルゴリズムに従って端末装置の利用者が嗜好するコンテンツの特徴を表す嗜好特徴項目を決定して、その決定された嗜好特徴項目に対応する特徴項目を有するコンテンツの識別情報を端末装置に送信し、端末装置が受信したコンテンツの識別情報をコンテンツ案内情報として出力しており、端末装置が利用者の嗜好を分析する必要がなく、構成が簡略化されるとともに、端末装置が交換される場合において、利用者による嗜好に関するデータの登録や移行の作業が必要でなくなり、煩雑さを解消することが可能となる。
【発明を実施するための最良の形態】
【００４４】
以下、本発明の実施の形態のコンテンツ案内サービスシステムについて、図面を用いて説明する。
【００４５】
本発明の実施の形態におけるコンテンツ案内サービスシステムのブロック図を図１に示す。図１において、コンテンツ案内サービスシステム１００は、コンテンツとしての放送番組や通信系コンテンツの案内を行うものであり、番組制作会社１００内の番組管理サーバ１１０と、放送局２００−１乃至２００−ｎ（以下、これら放送局２００−１乃至２００−ｎをまとめて適宜「放送局２００」と称する）内の番組配信システム２１０と、全局ＳＩ集配センタ３００内のＳＩ集配サーバ３１０及び番組情報データベース（ＤＢ）３２０と、顧客管理センタ４００内の顧客管理サーバ４１０及び顧客管理ＤＢ４２０と、サービスセンタ５００内の情報管理サーバ５１０、情報管理ＤＢ５２０、顧客管理サーバ５３０、顧客管理ＤＢ５４０、コンテンツ案内装置としての情報案内サーバ５５０、配信サーバ５６０及び通信部５７０と、端末装置としての放送受信機６００と、リモコン装置６５０と、通信ネットワーク７００及び８００とを有する。
【００４６】
このコンテンツ案内サービスシステム１００では、サービスセンタ５００内の情報案内サーバ５５０が、放送受信機６００の利用者の嗜好に応じて、その利用者に対し、放送番組や通信系コンテンツを案内する。
【００４７】
情報案内サーバ５５０のブロック図を図２に示す。図２において、情報案内サーバ５５０は、視聴履歴ＤＢ５５１、利用者ＤＢ５５２、嗜好分析ＤＢ５５３、嗜好分析部５５４、推奨情報決定部５５５及び推奨情報提供部５５６を有する。
【００４８】
放送受信機６００のブロック図を図３に示す。図３において、放送受信機６００は、チューナ選局部６０１、復調部６０２、デコード部６０３、音声出力処理部６０４、映像出力処理部６０５、画面合成処理部６０６、ＩＣカードインタフェース（ＩＦ）部６０７、システム制御部６０８、通信部６０９、識別／属性データ処理部６１０、メモリ６１１、ハードディスクドライブ（ＨＤＤ）６１２、オンスクリーン制御部６１３及びアンテナ６１４を有する。
【００４９】
以上のように構成されたコンテンツ案内サービスシステム１００について、その動作を説明する。
【００５０】
まず、番組登録の動作を説明する。番組制作会社１００内の番組管理サーバ１１０は、放送局２００内の番組配信システム２１０に対して、コンテンツである放送番組の番組データ、その放送番組を識別するための番組コード等の属性データであるＳＩデータを送信する。各放送局２００内の番組配信システム２１０は、受信したＳＩデータを保持するとともに、全局ＳＩ集配センタ３００内のＳＩ集配サーバ３１０へ送信する。
【００５１】
全局ＳＩ集配センタ３００内のＳＩ集配サーバ３１０は、各放送局２００からのＳＩデータを受信し、番組情報ＤＢ３２０に登録するとともに、通信ネットワーク７００を介してサービスセンタ５００内の情報管理サーバ５１０へ送信する。
【００５２】
サービスセンタ５００内の情報管理サーバ５１０は、受信したＳＩデータを番組関連データとして情報管理ＤＢ５２０へ登録する。番組関連データの一例を図４に示す。図４に示す番組関連データは、管理ＩＤと、放送番組の送出元である放送局２００を識別するための放送局ＩＤと、番組コードと、その放送番組の放送年月日、開始時刻及び終了時刻と、その放送番組の名称（番組名）と、その放送番組のジャンルと、内容、出演者等の放送番組を特徴付ける特徴項目としてのキーワードとにより構成される。
【００５３】
また、情報管理サーバ５１０は、放送番組以外のコンテンツである通信系コンテンツに関するデータである通信系通信系コンテンツ関連データを情報管理ＤＢ５２０へ登録する。通信系コンテンツ関連データの一例を図５に示す。図５に示す通信系コンテンツ関連データは、管理ＩＤと、通信系コンテンツを識別するためのコンテンツコードと、その通信系コンテンツの容量と、その通信系コンテンツの名称（コンテンツ名）と、その通信系コンテンツのジャンルと、内容、出演者等の通信系コンテンツを特徴付ける特徴項目としてのキーワードとにより構成される。なお、情報管理ＤＢ５２０には、配信サーバ５６０による放送受信機６００への配信が可能な通信系コンテンツのデータが通信系コンテンツ関連データに対応付けられて登録されている。
【００５４】
次に、利用者登録の動作を説明する。サービスセンタ５００内の顧客管理サーバ５３０は、顧客である放送受信機６００の利用者に関するデータ（利用者登録データ）を顧客管理ＤＢ５４０へ登録する。例えば、顧客管理サーバ５３０は、利用者のリモコン装置６５０の操作に応じて放送受信機６００が生成、送信した利用者登録データを、通信ネットワーク８００及び通信部５７０を介して受信し、顧客管理ＤＢ５４０へ登録する。あるいは、顧客管理サーバ５３０は、オペレータの操作に応じて自ら利用者登録データを生成し、顧客管理ＤＢ５４０へ登録する。利用者登録データの一例を図６に示す。図６に示す利用者登録データは、利用者を識別するための利用者ＩＤ（例えば利用者に貸与されるＩＣカードのＩＤ）と、その利用者の年齢、性別、住所、好みのジャンル及び利用者特徴項目としての好みのキーワードとにより構成される。顧客管理サーバ５３０は、この利用者登録データを利用者の認証処理や課金処理の際に用いる。
【００５５】
また、サービスセンタ５００内の顧客管理サーバ５３０は、放送受信機６００の利用者の要求に応じて利用者登録データを随時更新する。具体的には、放送受信機６００の利用者がリモコン装置６５０により利用者登録データの入力操作を行うと、放送受信機６００は、この利用者登録データを、通信ネットワーク８００、サービスセンタ５００内の通信部５７０を介して、顧客管理サーバ５３０へ送信する。顧客管理サーバ５３０は、顧客管理ＤＢ５４０に登録されている利用者登録データを、受信した利用者登録データに更新する。
【００５６】
また、サービスセンタ５００内の顧客管理サーバ５３０は、利用者登録データを登録や更新する毎に、情報案内サーバ５５０へ出力する。図２に示す情報案内サーバ５５０において、利用者ＤＢ５５２には、顧客管理サーバ５３０からの利用者登録データが保持される。また、サービスセンタ５００内の顧客管理サーバ５３０は、利用者登録データを登録や更新する毎に、通信部５７０及び通信ネットワーク７００を介して顧客管理センタ４００内の顧客管理サーバ４１０へ送信する。顧客管理センタ４００内の顧客管理サーバ４１０は、受信した利用者登録データを顧客管理ＤＢ４２０へ登録するともに、各放送局２００内の番組配信システム２１０へ送信する。各放送局２００内の番組配信システム２１０は、受信した利用者登録データを保持する。例えば、番組配信システム２１０は、特定の利用者にのみ放送番組を提供する場合、その特定の利用者に対応する利用者登録データ内の利用者ＩＤを番組データとともに送出する。
【００５７】
このように、番組登録と利用者登録が行われることにより、放送受信機６００の利用者は、放送番組や通信系コンテンツの提供を受けることが可能になるとともに、サービスセンタ５００内の情報案内サーバ５５０による推奨情報（利用者に対して推奨する放送番組や通信系コンテンツ）の案内を受けることが可能となる。
【００５８】
番組放送時及び推奨情報案内時における動作を図７に示す。利用者がリモコン装置６５０を用いて電源オンの操作を行うと、リモコン装置６５０は、放送受信機６００に対して電源オン要求を送信する（Ｓ１０１）。更に、利用者がリモコン装置６５０を用いて選局の操作を行うと、リモコン装置６５０は、放送受信機６００に対して選局データを送信する（Ｓ１０２）。この時、放送受信機６００は、電源を投入して、放送局２００から送出されるＳＩ／ＥＰＧ（電子番組ガイド）等の制御データを受信するとともに、放送を受信する（Ｓ１０３、Ｓ１０４）。
【００５９】
具体的には、各放送局２００内の番組配信システム２１０は、ＳＩ／ＥＰＧ等の制御データと、放送番組の番組データ（映像データ及び音声データ）とに対して所定の変調処理を行い、その変調により得られた信号を送出する。図３に示す放送受信機６００内のチューナ選局部６０１は、システム制御部６０８の制御により、選局処理を行い、アンテナ６１４によって受信された信号を復調部６０２へ出力する。復調部６０２は、入力した信号の復調を行い、その復調により得られたデータをデコード部６０３へ出力する。
【００６０】
デコード部６０３は、多重分離機能により、入力したデータをＳＩ／ＥＰＧ等の制御データと、映像データ及び音声データとに分離する。更に、デコード部６０３は、制御データ内のＳＩ等に含まれる識別／属性データをメモリ６１１へ出力する。識別／属性データ処理部６１０は、識別／属性データ取得機能により識別／属性データに含まれる番組コードをメモリ６１１より取得し、保持する。識別／属性データ処理部６１０が保持する番組コードは、利用者が視聴した放送番組を特定するものとなる。なお、識別／属性データ処理部６１０は、利用者が同一の放送番組を連続して視聴した結果、連続して同一の番組コードを取得した場合には、最初に取得した番組コードのみ保持する。これにより、識別／属性データ処理部６１０は、電源投入直後及びその後の利用者の選局操作直後にのみ番組コードを取得し、保持することになり、識別／属性データ処理部６１０が同一の放送番組に対応する番組コードを複数保持することを防止し、その識別／属性データ処理部６１０が保持する番組コードを必要最小限に抑えることができる。
【００６１】
また、デコード部６０３は、音声信号復号機能及び映像信号復号機能により番組データの復号を行い、音声信号を音声出力処理部６０４へ出力し、映像信号を映像出力処理部６０５へ出力する。音声出力処理部６０４は、入力した音声信号をスピーカ等の音声出力媒体へ出力する。一方、映像出力処理部６０５は、入力した映像信号を、画面合成処理部６０６を介してモニタ等の映像出力媒体へ出力する。なお、放送局２００内の番組配信システム２１０が特定の利用者にのみ放送番組を提供するために、その特定の利用者に対応する利用者登録データ内の利用者ＩＤを番組データとともに送出する場合には、デコード部６０３は、ＣＡ処理機能により、復調部６０２からのデータに含まれている利用者ＩＤと、ＩＣカードＩＦ部６０７に挿入されたＩＣカード（図示せず）から読み出した利用者ＩＤとを照合し、これらの利用者ＩＤが一致する場合にのみ、番組コードを識別／属性データ処理部６１０へ出力し、番組データの復号を行う。
【００６２】
次に、放送受信機６００は、所定のタイミングで視聴履歴データを生成する（Ｓ１０５）。具体的には、図３に示す放送受信機６００内の識別／属性データ処理部６１０は、識別／属性データ管理機能により、保持している番組コード及びメモリ６１１内の識別／属性データに含まれる番組表データと、ＩＣカードＩＦ部６０７に挿入されたＩＣカードから読み出した利用者ＩＤとに基づいて、視聴履歴データを生成する。視聴履歴データの一例を図８に示す。図８に示す視聴履歴データは、利用者ＩＤ、履歴管理ＩＤ、利用者が視聴した放送番組の送出元の放送局２００の放送局ＩＤ、及び、利用者が視聴した放送番組の番組コードにより構成される。これらの内、利用者ＩＤはＩＣカードＩＦ部６０７に挿入されたＩＣカードから読み出されたものであり、放送局ＩＤはメモリ６１１に格納された番組表データのうち、利用者が視聴した放送番組の番組コードに対応する番組表データから抽出されたものであり、番組コードは識別／属性データ処理部６１０が保持しているものである。生成された視聴履歴データは、メモリ６１１に格納される。
【００６３】
なお、識別／属性データ処理部６１０は、利用者がいわゆるザッピングにより短時間に選局を繰り返す場合には、視聴の意思がないと考えられる放送番組については視聴履歴データの生成対象から除外するようにしてもよい。この場合には、例えば、識別／属性データ処理部６１０は、デコード部６０３からの番組コードを取得してから次の番組コードを取得するまでの時間が所定時間以下であった場合には、最初に取得した方の番組コードに対応する放送番組について、視聴履歴データの生成対象から除外する。
【００６４】
次に、放送受信機６００は、生成した視聴履歴データをサービスセンタ５００内の情報案内サーバ５５０へ送信する。具体的には、図３に示す放送受信機６００内の通信部６０９は、メモリ６１１内の視聴履歴データを読み出して、通信ネットワーク８００へ出力する。通信ネットワーク８００に出力された視聴履歴データは、サービスセンタ５００内の通信部５７０を介して情報案内サーバ５５０へ入力される。図２に示す情報案内サーバ５５０において、視聴履歴ＤＢ５５１には、放送受信機６００からの視聴履歴データが登録される（Ｓ１０６）。
【００６５】
次に、情報案内サーバ５００は、放送受信機６００の利用者の嗜好を分析する（Ｓ１０７）。
【００６６】
Ｓ１０７における嗜好分析の詳細な動作のフローチャートを図９に示す。図２に示す情報案内サーバ５００内の嗜好分析部５５４は、視聴履歴ＤＢ５５１に登録されている視聴履歴データの内、嗜好分析の対象となっている放送受信機６００の利用者に対応する嗜好履歴データを読み出す（Ｓ５０１）。更に、嗜好分析部５５４は、読み出した視聴履歴データが新たな視聴履歴データであるか否かを判定する（Ｓ５０２）。ここで、新たな視聴履歴データとは、前回の嗜好分析以降に視聴履歴ＤＢ５５１に登録された視聴履歴データを指す。例えば、嗜好分析部５５４は、嗜好分析を終える毎に視聴履歴ＤＢ５５１に登録された視聴履歴データを削除することにより、次の嗜好分析において視聴履歴ＤＢ５５１から読み出される視聴履歴データは、全て新たな視聴履歴データとなる。この場合、嗜好分析部５５４は、視聴履歴ＤＢ５５１に視聴履歴データが登録されている場合には、新たな視聴履歴データであると判定する。
【００６７】
新たな視聴履歴データである場合、嗜好分析部５５４は、利用者ＤＢ５５２に登録されている利用者登録データの内、嗜好分析の対象となっている放送受信機６００の利用者に対応する利用者登録データを読み出す（Ｓ５０３）。
【００６８】
一方、新たな視聴履歴データがない場合、嗜好分析部５５４は、利用者ＤＢ５５２に登録されている利用者登録データの内、嗜好分析の対象となっている放送受信機６００の利用者に対応する利用者登録データを読み出し（Ｓ５０４）、更に、その読み出した利用者登録データが新たな利用者登録データであるか否かを判定する（Ｓ５０５）。ここで、新たな利用者登録データとは、前回の嗜好分析以降に登録された利用者登録データを指す。例えば、嗜好分析部５５４は、嗜好分析を終える毎に、その嗜好分析のとなっている放送受信機６００の利用者に対応する利用者登録データを利用者ＤＢ５５２から削除することにより、次の嗜好分析において利用者ＤＢ５５２から読み出される利用者登録データは、全て新たな利用者登録データとなる。この場合、嗜好分析部５５４は、利用者ＤＢ５５２に利用者登録データが登録されている場合には、新たな利用者登録データであると判定する。Ｓ５０５において新たな利用者登録データがないと判定された場合、一連の動作が終了する。
【００６９】
一方、嗜好分析部５５４は、Ｓ５０３において利用者登録データを読み出した後、あるいは、Ｓ５０５において新たな利用者登録データがあると判定した後、嗜好分析ＤＢ５５３に登録されている嗜好基本データの内、嗜好分析の対象となっている放送受信機６００の利用者に対応する嗜好基本データを読み出す（Ｓ５０６）。嗜好基本データの一例を図１０及び図１１に示す。図１０に示す嗜好基本データは、利用者ＩＤ、ジャンル及び基本特徴項目としてのキーワードにより構成される。ここで、キーワードに付随する括弧内の数値（Ａ，Ｂ）は、Ａが、放送受信機６００の利用者が過去にそのキーワードを有する放送番組を視聴した回数（視聴回数）を示し、Ｂが、放送受信機６００の利用者がそのキーワードを有する放送番組を最後に視聴してからの経過時間等に基づく嗜好の傾向を示す数値（視聴ランク）を示す。一方、図１１に示す嗜好基本データは、利用者ＩＤと、視聴ランクの数値が小さい順に並べ替えられたキーワードとによって構成される。
【００７０】
次に、嗜好分析部５５４は、Ｓ５０３又はＳ５０４において読み出した利用者登録データ、及び、Ｓ５０６において読み出した嗜好基本データに含まれるキーワードを抽出するとともに、情報管理ＤＢ５２０に登録されている番組関連データの内、新たな視聴履歴データを含む番組関連データ内のキーワードを抽出する。更に、嗜好分析部５５４は、これら抽出したキーワードについて所定の整理を行う（Ｓ５０７）。例えば、嗜好分析部５５４は、抽出したキーワードが重複する場合、それらをまとめる整理を行う。
【００７１】
次に、嗜好分析部５５４は、Ｓ５０７において抽出、整理した後のキーワード毎に視聴回数をカウントする（Ｓ５０８）。
【００７２】
Ｓ５０８における視聴回数カウントの詳細な動作のフローチャートを図１２に示す。嗜好分析部５５４は、対象キーワードについて前回の嗜好分析時以降の視聴回数をカウントする（Ｓ６０１）。具体的には、嗜好分析部５５４は、情報管理サーバ５１０からの番組関連データの内、図９のＳ５０１において読み出した新たな視聴履歴データに含まれる放送局ＩＤ及び番組コードの組み合わせを有するものを抽出する。ここで抽出される番組関連データは、放送受信機６００の利用者が前回の嗜好分析時以降に視聴した放送番組に対応するものである。更に、嗜好分析部５５４は、抽出した番組関連データに含まれる対象キーワードの数をカウントする。
【００７３】
次に、嗜好分析部５５４は、図９のＳ５０６において読み出した嗜好基本データ内の対象キーワードに付随する視聴回数、換言すれば、前回の嗜好分析時までの視聴回数と、Ｓ６０１においてカウントした前回の嗜好分析時以降の視聴回数とを加算することにより、嗜好基本データ内の対象キーワードに付随する視聴回数を更新する（Ｓ６０２）。
【００７４】
次に、嗜好分析部５５４は、対象キーワードが図９のＳ５０３又はＳ５０４において読み出した利用者登録データに含まれているか否かを判定する（Ｓ６０３）。対象キーワードが利用者登録データに含まれている場合には、嗜好分析部５５４は、Ｓ６０１においてカウントした前回嗜好分析時以降の視聴回数に１を加算する（Ｓ６０４）。なお、加算される数値は必ずしも１である必要はない。一方、対象キーワードが利用者登録データに含まれていない場合には、嗜好分析部５５４は、Ｓ６０４の動作を行わない。
【００７５】
各キーワード毎にＳ６０１乃至Ｓ６０４の動作が行われることにより、各キーワード毎に視聴回数がカウントされることになる。
【００７６】
再び、図９に戻って説明する。嗜好分析部５５４は、Ｓ５０７において抽出、整理した後のキーワード毎に視聴ランクを算出する（Ｓ５０９）。
【００７７】
Ｓ５０９における視聴ランク算出の詳細な動作のフローチャートを図１３に示す。嗜好分析部５５４は、対象キーワードを有する放送番組について前回の嗜好分析時まで視聴実績がないか否かを判定する（Ｓ７０１）。具体的には、嗜好分析部５５４は、図９のＳ５０６において読み出した嗜好基本データにおいて対象のキーワードに付随する視聴回数が「０」である場合、前回の嗜好分析時まで視聴実績がないと判定し、「０」以外の値である場合、前回の嗜好分析時までに視聴実績があると判定する。
【００７８】
対象キーワードを有する放送番組について前回の嗜好分析時まで視聴実績がない場合は、前回の嗜好分析時以降に、放送受信機６００の利用者によってその対象キーワードを有する放送番組が初めて視聴されたということである。この場合、放送受信機６００の利用者の直近の嗜好を重視すべく、対象キーワードについての視聴ランクは上位であることが望ましい。このため、嗜好分析部５５４は、対象キーワードについての視聴ランクに最上位であることを示す「１」を設定する（Ｓ７０５）。
【００７９】
一方、対象キーワードを有する放送番組について前回の嗜好分析時までに視聴実績がある場合は、嗜好分析部５５４は、対象キーワードを有する放送番組について前回の嗜好分析時以降に視聴実績がないか否かを判定する（Ｓ７０２）。具体的には、嗜好分析部５５４は、図１２のＳ６０１においてカウントした対象キーワードについての前回の嗜好分析時以降の視聴回数が「０」である場合には、前回の嗜好分析時以降に視聴実績がないと判定し、「１」以上の値である場合には、前回の嗜好分析時以降に視聴実績があると判定する。
【００８０】
対象キーワードを有する放送番組について前回の嗜好分析時以降に視聴実績がない場合は、放送受信機６００の利用者の直近の嗜好を重視すべく、対象キーワードについての視聴ランクは下位であることが望ましい。このため、嗜好分析部５５４は、前回の視聴分析時に算出された対象キーワードについての視聴ランク、換言すれば、図９のＳ５０６において読み出した嗜好基本データ内の対象キーワードについての視聴ランクに１を加算して、今回嗜好分析時における視聴ランクを算出する（Ｓ７０６）。
【００８１】
一方、対象キーワードを有する放送番組について前回の嗜好分析時以降に視聴実績がある場合は、嗜好分析部５５４は、対象キーワードについて、前回の嗜好分析時における視聴ランク、換言すれば、図９のＳ５０６において読み出した嗜好基本データ内の視聴ランクから、前回の嗜好分析時以降の視聴回数（図１２のＳ６０１においてカウントされた値又はＳ６０４において更に１加算された値）を減じる（Ｓ７０３）。
【００８２】
次に、嗜好分析部５５４は、Ｓ７０３において算出した対象キーワードについての視聴ランクが１未満であるか否かを判定する（Ｓ７０４）。対象キーワードについての視聴ランクが１以上である場合には、一連の動作が終了する。この場合、Ｓ７０３において算出された視聴ランクが今回嗜好分析時における視聴ランクとなる。
【００８３】
一方、対象キーワードについての視聴ランクが１以上である場合には、嗜好分析部５５４は、対象キーワードについての視聴ランクに最上位であることを示す「１」を設定する（Ｓ７０５）。
【００８４】
再び、図９に戻って説明する。嗜好分析部５５４は、対象キーワードについて、図１２のＳ６０２において算出した視聴回数、すなわち、今回の嗜好分析時までの視聴回数と、Ｓ５０９において算出した視聴ランクとにより、嗜好分析ＤＢ５５３内の嗜好基本データを更新する（Ｓ５１０）。なお、放送受信機６００の利用者についての嗜好分析が初めて行われる場合には、その利用者に対応する嗜好分析データは嗜好分析ＤＢ５５３に登録されていない。この場合、嗜好分析部５５４は、対象キーワードについて、図１２のＳ６０２において算出した視聴回数、すなわち、今回の嗜好分析時までの視聴回数と、Ｓ５０９において算出した視聴ランクとにより、嗜好分析ＤＢ５５３内の嗜好基本データを生成し、嗜好分析ＤＢ５５３に登録することになる。
【００８５】
再び、図７に戻って説明する。利用者がリモコン装置６５０を用いて所定の操作を行い、例えば、放送受信機６００のモニタ（図示せず）に図１４に示すようなメニュー画面を表示させ、更に、そのメニュー画面における選択肢である「おすすめ情報案内」を選択する操作を行うと、リモコン装置６５０は、放送受信機６００に対して情報案内要求を送信する（Ｓ１０８）。放送受信機６００は、受信した情報案内要求をサービスセンタ５００内の情報案内サーバ５５０へ送信する（Ｓ１０９）。具体的には、図３に示す放送受信機６００内のシステム制御部６０８は、内蔵する受信部（図示せず）が受信した情報案内要求を通信部６０９へ出力する。通信部６０９は、この情報案内要求を通信ネットワーク８００へ出力する。通信ネットワーク８００に出力された情報案内要求は、サービスセンタ５００内の通信部５７０を介して情報案内サーバ５５０へ入力される。情報案内要求には、例えば、利用者ＩＤが含まれており、情報案内サーバ５５０がどの放送受信機６００からの要求であるかを認識することができるようになっている。
【００８６】
情報案内サーバ５５０は、情報案内要求を受信すると、Ｓ１０７における放送受信機６００の利用者の嗜好分析の結果に基づいて、その利用者に推奨すべき放送番組や通信系コンテンツ（推奨情報）を決定する（Ｓ１１０）。
【００８７】
Ｓ１１０における推奨情報決定の詳細な動作のフローチャートを図１５に示す。図２に示す情報案内サーバ５００内の推奨情報決定部５５５は、嗜好分析ＤＢ５５３内の対象利用者に対応する嗜好基本データから視聴ランクの上位所定数に対応するキーワードを抽出する（Ｓ８０１）。
【００８８】
次に、推奨情報決定部５５５は抽出したキーワードに関連するキーワードを選択する（Ｓ８０２）。例えば、推奨情報決定部５５５は、キーワードとそのキーワードに意味が近似するキーワードとを対応付けて保持しておき、Ｓ８０１において抽出したキーワードに意味が近似するキーワードを関連キーワードとして選択する。
【００８９】
次に、推奨情報決定部５５５は、情報管理サーバ５１０からの番組関連データ及び通信系コンテンツ関連データの内、Ｓ８０１において抽出したキーワードと、Ｓ８０２において選択した関連キーワードとの少なくともいずれかを有する番組関連データ及び通信系コンテンツ関連データを選択する（Ｓ８０３）。選択された番組関連データ及び通信系コンテンツ関連データは、推奨番組関連データ及び推奨通信系コンテンツ関連データとして推奨情報提供部５５６へ出力される。
【００９０】
再び、図７に戻って滅名する。情報案内サーバ５５０内の推奨情報提供部５５６は、推奨番組関連データ及び推奨通信系コンテンツ関連データをまとめて情報案内データとして、通信部５７０及び通信ネットワーク８００を介して要求元の放送受信機６００へ送信する（Ｓ１１１）。
【００９１】
情報案内データの一例を図１６に示す。図１６に示す情報案内データは、管理ＩＤと、推奨情報が放送番組である場合における放送局ＩＤと、情報コード（推奨情報が放送番組である場合には番組コード、推奨情報が通信系コンテンツである場合にはコンテンツコード）、推奨情報が放送番組である場合における放送年月日、開始時刻及び終了時刻と、情報名（推奨情報が放送番組である場合には番組名、推奨情報が通信系コンテンツである場合にはコンテンツ名）、その推奨情報のジャンルと、その推奨情報の内容、出演者等の放送番組を特徴付ける情報であるキーワードとにより構成される。
【００９２】
放送受信機６００は、受信した情報案内データに基づいて、情報案内の表示を行う（Ｓ１１２）。具体的には、図３に示す放送受信機６００内の通信部６０９は、受信した情報案内データをＨＤＤ６１２へ格納する。オンスクリーン制御部６１３は、このＨＤＤ６１２内の情報案内データを読み出し、この情報案内データに基づいて情報案内画面を生成し、その映像信号を画面合成処理部６０６へ出力する。画面合成処理部６０６は、映像出力処理部６０５からの映像信号に基づく映像に、オンスクリーン制御部６１３からの映像信号に基づく映像を合成して、モニタ等の映像出力媒体へ出力する。
【００９３】
図１７に情報案内画面の一例を示す。図１７に示す情報案内画面では、放送番組については、その放送番組の番組名、放送日時、放送局名、録画予約欄及び料金が表示され、通信系コンテンツについてはその通信系コンテンツのコンテンツ名及び対処欄が表示される。
【００９４】
再び、図７に戻って説明する。放送受信機６００の利用者がリモコン装置６５０により情報案内画面内の放送番組や通信系コンテンツの選択操作を行うと、リモコン装置６５０は、その操作に対応する情報選択データを放送受信機６００へ送信する（Ｓ１１３）。放送受信機６００は、受信した情報選択データに応じた所定の放送番組や通信系コンテンツの選択処理を行う（Ｓ１１４）。例えば、放送受信機６００の利用者が図１７に示す情報案内画面における放送番組である「ドラマＡ」の録画を選択した場合、図３に示す放送受信機６００内のシステム制御部６０８は、内蔵する受信部が受信した情報選択データに応じて録画予約に関する処理を行う。
【００９５】
このように、本実施形態のコンテンツ案内サービスシステムでは、放送受信機６００が受信した放送番組、換言すれば、放送受信機６００の利用者が視聴した放送番組の視聴履歴データがサービスセンタ５００内の情報案内サーバ５５０に送られると、情報案内サーバ５５０は、その視聴履歴データに対応する放送番組のキーワードに基づいて、放送受信機６００の利用者の嗜好を分析し、その分析結果に基づいて放送受信機６００の利用者の嗜好に応じた所定の条件を満たす放送番組や通信系コンテンツを決定し、これら決定した放送番組や通信系コンテンツに対応する情報案内データを放送受信機６００へ送信する。そして、放送受信機６００は、受信した情報案内データに基づいて、嗜好に応じた放送番組や通信系コンテンツに関する所定の案内情報を出力する。従って、放送受信機６００が利用者の嗜好を分析する必要がなく、構成が簡略化されるとともに、放送受信機６００が交換される場合において、利用者による嗜好に関するデータの登録や移行の作業が必要でなくなり、煩雑さを解消することが可能となる。
【００９６】
また、情報案内サーバ５５０は、嗜好分析において視聴ランクを算出する際に、対象キーワードに対応する放送番組が前回の嗜好分析以降に初めて放送受信機６００によって受信された場合には、その対象キーワードに対応する嗜好傾向が高くなるように視聴ランクに１を設定する。また、情報案内サーバ６５０は、対象キーワードに対応する放送番組が前回の嗜好分析以降に放送受信機６００によって受信されなかった場合には、その対象キーワードに対応する嗜好傾向が低くなるように視聴ランクに１を加算する。このため、放送受信機６００の利用者の直近の嗜好傾向を重視した案内が可能となる。
【００９７】
また、情報案内サーバ５５０は、予め定められたキーワード間の関連性に基づいて、視聴ランクが上位のキーワードに対応するコンテンツのみならず、そのキーワードに関連するキーワードに対応するコンテンツについても、推奨すべきコンテンツとして決定することができるため、より適切なコンテンツの案内が可能となる。
【００９８】
なお、前述の実施形態では、コンテンツとして放送番組や通信系コンテンツが用いられたが、他の情報、例えばインターネットのサイトにおける情報であっても良い。インターネットのサイトにおける情報が用いられる場合、各情報はＵＲＬにより識別される。また、前述した実施形態では、特徴項目としてキーワードが用いられたが、ジャンル等の他のデータを特徴項目として用いても良い。
【産業上の利用可能性】
【００９９】
以上のように、本発明にかかるコンテンツ案内サービスシステム、コンテンツ案内装置、コンテンツ案内方法及びコンテンツ案内プログラムは、端末装置が利用者の嗜好を分析する必要がなく、構成が簡略化されるとともに、端末装置が交換される場合において、利用者による嗜好に関するデータの登録や移行の作業が必要でなくなり、煩雑さを解消することが可能となるという効果を有し、コンテンツ案内サービスシステム等として有用である。
【図面の簡単な説明】
【０１００】
【図１】コンテンツ案内サービスシステム探索システムのブロック図
【図２】情報案内サーバのブロック図
【図３】放送受信機のブロック図
【図４】番組関連データの一例を示す図
【図５】通信系コンテンツ関連データの一例を示す図
【図６】利用者登録データの一例を示す図
【図７】コンテンツ案内サービスシステムの動作の一例を示すシーケンス図
【図８】視聴履歴データの一例を示す図
【図９】情報案内サーバの嗜好分析時の動作の一例を示すフローチャート
【図１０】嗜好基本データの第１の例を示す図
【図１１】嗜好基本データの第２の例を示す図
【図１２】情報案内サーバの視聴回数カウント時の動作の一例を示すフローチャート
【図１３】情報案内サーバの視聴ランク算出時の動作の一例を示すフローチャート
【図１４】メニュー画面の一例を示す図
【図１５】情報案内サーバの推奨情報決定時の動作の一例を示すフローチャート
【図１６】情報案内データの一例を示す図
【図１７】情報案内画面の一例を示す図
【符号の説明】
【０１０１】
１００  番組制作会社
１００  番組管理サーバ
２００−１〜２００−ｎ  放送局
２１０  番組配信システム
３００  全局ＳＩ集配センタ
３１０  ＳＩ集配サーバ
３２０  番組情報ＤＢ
４００  顧客管理センタ
４１０、５３０  顧客管理サーバ
４２０、５４０  顧客管理ＤＢ
５００  サービスセンタ
５１０  情報管理サーバ
５２０  情報管理ＤＢ
５３０  顧客管理ＤＢ
５５０  情報案内サーバ
５５１  視聴履歴ＤＢ
５５２  利用者ＤＢ
５５３  嗜好分析ＤＢ
５５４  嗜好分析部
５５５  推奨情報決定部
５５６  推奨情報提供部
５６０  配信サーバ
５７０  通信部
６００  放送受信機
６０１  チューナ選局部
６０２  復調部
６０３  デコード部
６０４  音声出力処理部
６０５  映像出力処理部
６０６  画面合成処理部
６０７  ＩＣカードＩＦ部
６０８  システム制御部
６０９  通信部
６１０  識別／属性データ処理部
６１１  メモリ
６１２  ＨＤＤ
６１３  オンスクリーン制御部
６１４  アンテナ
【図１】
2005260647.tif 000003
【図２】
2005260647.tif 000004
【図３】
2005260647.tif 000005
【図４】
2005260647.tif 000006
【図５】
2005260647.tif 000007
【図６】
2005260647.tif 000008
【図７】
2005260647.tif 000009
【図８】
2005260647.tif 000010
【図９】
2005260647.tif 000011
【図１０】
2005260647.tif 000012
【図１１】
2005260647.tif 000013
【図１２】
2005260647.tif 000014
【図１３】
2005260647.tif 000015
【図１４】
2005260647.tif 000016
【図１５】
2005260647.tif 000017
【図１６】
2005260647.tif 000018
【図１７】
2005260647.tif 000019